(57)【要約】【課題】岩盤浴と同様に作用する温熱マット又は温熱装置を提供することを課題としている。【解決手段】可撓性を有する袋状の容器９内にジェル状のクッション材１２と、遠赤外線、マイナスイオン、微量の放射線のいずれか一種又は二種以上を放出するパウダー状若しくは粒状のいずれか一方又は両方の鉱物１３とを混合状態で封入してなる弾力性を備えた温熱用マット３を敷設するベッド１であって、該ベッド１と温熱用マット３の間に加温用のシート状又はプレート状のヒータ２を介挿する。【選択図】図４
0003126857.tif 000002
【実用新案登録請求の範囲】
【請求項１】
可撓性を有する袋状の容器（９）内にジェル状のクッション材（１２）と、遠赤外線、マイナスイオン、微量の放射線のいずれか一種又は二種以上を放出するパウダー状若しくは粒状のいずれか一方又は両方の鉱物（１３）とを混合状態で封入してなる弾力性を備えた温熱用マット。
【請求項２】
遠赤外線、マイナスイオン、微量の放射線のいずれかを放出する二種以上の鉱物（１３）を、各別の複数のチューブ（１１）内に封入し、該複数のチューブ（１１）を一連のユニット状に接合又は一体成形した単体の容器（９）に封入してなる請求項１の温熱用マット。
【請求項３】
複数のユニット状の容器（９）の外周を隣接させて並び連ねさせてなる請求項２の温熱用マット。
【請求項４】
ユニット状の容器（９）を構成する複数本のチューブ（１１）が互いに平行になるように複数の容器（９）外周を隣接させた請求項３の温熱用マット。
【請求項５】
ユニット状の容器（９）の外周に、互いに他の容器（９）と隣接させて着脱可能に接合する接合部（１６）を設けてなる請求項２の温熱用マット。
【請求項６】
複数本のチューブ（１１）をマット幅横方向に平行に連接されてユニット状の容器（９）とし、該ユニット状の容器（９）のチューブ（１１）方向に沿った側端に接合部（１６）を設けてなる請求項５の温熱用マット。
【請求項７】
ユニット状の容器（９）が遠赤外線を放射するチューブ（１１）と、マイナスイオンを放出するチューブ（１１）と、微量の放射線を放射するチューブ（１１）との少なくとも３本のチューブ（１１）からなる請求項２，３，４，５又は６の温熱用マット。
【請求項８】
上面に請求項１，２，３，４，５，６又は７のいずれかに記載の温熱用マット（３）と、該温熱用マット（３）を敷設するベッド（１）と、上記ベッド（１）と温熱用マット（３）の間に介挿される加温用のシート状又はプレート状のヒーター（２）とからなる温熱装置。
【請求項９】
ベッド（１）上に温熱用マット（３）を敷設した温熱状態で温熱マット（３）上に少なくとも人が就寝した状態で温熱空間が形成されるように、ベッド（１）上面を覆う遠赤外線ヒーターを備えた加温用シェル（６）を設けてなる請求項８の温熱装置。
【考案の詳細な説明】
【技術分野】
【０００１】
この考案は、鉱物を用いた温熱用マット及び温熱装置に関する。
【背景技術】
【０００２】
近年、リラクゼーションや温熱療法の一つとしてセラミックを含む鉱物を加温してその上に横たわる岩盤浴が広く知られて来ている。さらに上記鉱物として複数種類の鉱物を粒状にしたものをベッド状に敷き詰め、身体に有用な遠赤外線の放射、マイナスイオンの発生、微量な放射線の放射等を行わせるものが公知である（特許文献１）。
【特許文献１】特開２００５−２４５６３１号公報
【考案の開示】
【考案が解決しようとする課題】
【０００３】
しかし上記岩盤浴用ベッドは、粒状の鉱物が敷き詰められているために表面が硬く、利用者にとって体表面に痛みを伴い負担が大きいほか、十分な時間の岩盤浴ができないという欠点がある。また上記文献に示す装置はベッド本体が粒状の鉱石を敷き詰めたものであるため、ベッド自体が岩盤浴以外に使用できないほか、全体として設置コストが高価であるという欠点がある。
【課題を解決するための手段】
【０００４】
上記課題を解決するため本考案は、第１に可撓性を有する袋状の容器９内にジェル状のクッション材１２と、遠赤外線、マイナスイオン、微量の放射線のいずれか一種又は二種以上を放出するパウダー状若しくは粒状のいずれか一方又は両方の鉱物１３とを混合状態で封入し、弾力性を備えたことを特徴としている。
【０００５】
第２に、遠赤外線、マイナスイオン、微量の放射線のいずれかを放出する二種以上の鉱物１３を、各別の複数のチューブ１１内に封入し、該複数のチューブ１１を一連のユニット状に接合又は一体成形した単体の容器９に封入してなることを特徴としている。
【０００６】
第３に、複数のユニット状の容器９の外周を隣接させて並び連ねさせてなることを特徴としている。
【０００７】
第４に、ユニット状の容器９を構成する複数本のチューブ１１が互いに平行になるように複数の容器９外周を隣接させたことを特徴としている。
【０００８】
第５、ユニット状の容器９の外周に、互いに他の容器９と隣接させて着脱可能に接合する接合部１６を設けてなることを特徴としている。
【０００９】
第６に、複数本のチューブ１１をマット幅横方向に平行に連接されてユニット状の容器９とし、該ユニット状の容器９のチューブ１１方向に沿った側端に接合部１６を設けてなることを特徴としている。
【００１０】
第７に、ユニット状の容器９が遠赤外線を放射するチューブ１１と、マイナスイオンを放出するチューブ１１と、微量の放射線を放射するチューブ１１との少なくとも３本のチューブ１１からなることを特徴としている。
【００１１】
第８に、温熱用マット３と、該温熱用マット３を敷設するベッド１と、上記ベッド１と温熱用マット３の間に介挿される加温用のシート状又はプレート状のヒーター２とからなることを特徴としている。
【００１２】
第９に、ベッド１上に温熱用マット３を敷設した温熱状態で温熱マット３上に少なくとも人が就寝した状態で温熱空間が形成されるように、ベッド１上面を覆う遠赤外線ヒーターを備えた加温用シェル６を設けてなることを特徴としている。
【考案の効果】
【００１３】
以上のように構成される本考案によれば、以下に述べるような効果を奏する。
マット内に充填されたセラミックその他の鉱物性材料により、遠赤外線の放射、マイナスイオンの発生又は微量な放射線の放射等の機能性を伴う従来の岩盤浴と同様の作用を保つことができる。またマット自体が容器とジェルにより弾力性又は可撓性を備えているため、利用者の体表面へのフィット性が高まるとともに、痛みの負担を解消し、期待される効果を得るために十分な岩盤浴の時間を維持することができ、健常者はもとより老人や身体障害者等にとっても容易に利用できるものとなる。
【００１４】
上記機能性を備えた部分が、ジェルと鉱物粉体等を封入したマットで構成されるため、低コストで設置や取扱い性に優れ、洗浄や衛生管理その他のメンテナンスも容易である。
【００１５】
遠赤外線や微量の放射線の放射、マイナスイオンの発生等の機能を持つ各鉱物性の材料を各別のチューブに封入してユニット化することにより、期待される各機能を確実に発揮させることができるとともに、これらを接合部によって接合することにより、任意な広さのマットを得ることができ、サイズや用途の自由度が高くなる。
【００１６】
ベッド状に加温用のシェルを設けることにより、さらに充実した温熱効果が得られ、利用や設置環境の自由度も高い。
【考案を実施するための最良の形態】
【００１７】
以下、図示する実施形態につき説明する。
図１は本発明を適用した温熱装置の側断面図であり、図２は本発明を適用した温熱装置の斜視図である。温熱装置は、ベッド１と、面状発熱体２等のシート状又はプレート状のヒーターと、マット３と、シーツ４と、加温用シェル６とにより構成されている。
【００１８】
ベッド１にはマット３が敷設されており、ベッド１とマット３との間には面状発熱体２が挿入されている。ベッド１、面状発熱体２及びマット３は平面視略長方形であり、前後方向の長さは面状発熱体２よりもベッド１及びマット３の方が長くなっており、左右方向の長さは面状発熱体２及びマット３よりもベッド１の方が長くなっている。面状発熱体２の下面側にはウレタンシート等の断熱材（図示しない）が設けられており、ベッド１に熱が伝わり難い構造になっている。
【００１９】
一方、面状発熱体２の上面側に位置するマット３は、面状発熱体２によって加温される。加温されたマット３は、内部に充填されたセラミックその他の鉱物性材料により、遠赤外線の放射、マイナスイオンの発生又は微量な放射線の放射等の機能性を伴う従来の岩盤浴と同様に作用する。なお、面状発熱体２は、利用者７の頭部が位置するマット３前端側を、面状発熱体２で加温することがないよう、面状発熱体２前端がマット３前端よりも後方にずらされて配置されている。
【００２０】
マット３上面には竹布シーツ等のシーツ４が敷かれ、この上に、本温熱装置の利用者７が横になる。横になった利用者７の上方を覆うように加温用シェル６が設置されている。加温用シェル６は枕８をしてベッド１上に横たわった利用者７の頭部のみを残して首から下の身体上を略密閉状態で覆うようにドーム型に形成されており、そのドーム状の両側壁の下端は、ベッド１の両側端に沿って載置又は取り付け固定されている。またドーム状の加温用シェル６の内面には遠赤外線ヒーター（図示しない）が配置され、内部に形成された温熱空間を加熱する構造となっている。
【００２１】
上記構成の温熱装置によれば、加温用シェル６内で寝ている利用者７の身体を下側からは面状発熱体２で、上側からはドーム側の遠赤外線ヒーターで芯から温める。一方、下方に配置された面状発熱体２でマット３を加温することにより、岩盤浴と同様に作用し、利用者７にリラクゼーション効果、温熱治療効果等が期待できる。
【００２２】
次に上記マット３について詳述する。図３はマット３の斜視図であり、図４はマット３を形成するユニット状の容器９の側断面図である。マット３は複数のユニット状の容器９により形成され、ユニット状の容器３はチューブ１１により形成されている。
【００２３】
チューブ１１は可撓性を有する袋状に形成され、内部にクッション材１２及び鉱物１３が詰め込まれて密閉されており、弾力性を備えている。ユニット状の容器９は３本のチューブ１１から構成され、３本のチューブ１１が平行に並べられ、連結部１４により連結されている。
【００２４】
マット３は、複数のユニット状の容器９をチューブ１１方向に平行に並べ、接合部１６によって互いを接合させて、連接させることによりマット３を形成する。マット３は、５つのユニット状の容器９を連接させている。ちなみに、１つの容器９でも、マット３を形成することができる。ユニット状の容器９を構成する３本のチューブ１１と、２つの連結部１４と、２つの接合部１６とは一体的に成形されている。
【００２５】
なおユニット状の容器９に接合部１６を設けずに、この容器９を各チューブ１１が互いに平行になるように前後方向に並べ、マット３を形成させてもよい。この場合、容器９同士は互いに接触又は接近するのみで接合されないことになるが、容器９そのものにある程度の重さがあるため、利用者７がマット３の上に横になってもマット３を形成する容器９がずれることはほとんどない。
【００２６】
上記チューブ１１内の鉱物としては、微量の放射線を放射する鉱物１３、遠赤外線を放射する鉱物１３及びマイナスイオンを放出する鉱物１３の３種類の鉱物を用いる。微量の放射線は電子やイオンを体内に作り出し、細胞を活性化させ、自然治癒力を促進し、新陳代謝を向上させる効果、遠赤外線は身体を芯から温める効果、マイナスイオンはリラクゼーション効果等が期待できる。
【００２７】
微量の放射線を放射させる鉱物１３としては、ラジウム鉱石やラドン鉱石等を用い、放射される放射線量は、十分な放射線の効果が得られ、且つ本装置を２４時間３６５日使用しても法で規定する放射線の年間許容限度以上にはならないように設定する。
【００２８】
遠赤外線を放射させる鉱物１３としては、遠赤外線放射率ができだけ高い鉱物を選ぶ。マイナスイオンを放出させる鉱物１３も同様で、できるだけ多くのマイナスイオンを発生させる鉱物を選択する。放出させるマイナスイオンの量は、マイナスイオンの効果が奏されるように、１ｃｃの体積あたり１０００個前後〜１５００個前後の量が望ましい。鉱物１３としては自然石のほか、前記機能を備えたセラミックを用いたものでもよい。
【００２９】
各種鉱物は粒状乃至パウダー状に粉砕するが、技術的に４０μｍ以下の大きさに粉砕することが困難であることと、５ｍｍ以上にすると温熱用マットの柔軟性が損なわれることから、４０μｍから５ｍｍ程度の大きさに粉砕する。
【００３０】
各種鉱物は、ジェル（ｇｅｌ）状（ゼリー状）のクッション材１２と混合し、各チューブ１１に封入する。ユニット状の容器９を構成する３つのチューブ１１の内一つには、微量の放射線を放射する鉱物１３を混合したジェル状のクッション材１２を封入し、もう一つには、遠赤外線を放射する鉱物１３を混合したジェル状のクッション材１２を封入し、最後の一つには、マイナスイオンを放出する鉱物１３を混合したジェル状のクッション材１２を封入している。なおユニット状の容器９の各チューブ１１に、上記３種類の鉱物１３全てを封入してもよい。
【図面の簡単な説明】
【００３１】
【図１】温熱装置の側断面図である。
【図２】温熱装置の斜視図である。
【図３】温熱用マットの斜視図である。
【図４】温熱用マットを形成するユニット状の容器の側断面図である。
【符号の説明】
【００３２】
１    ベッド
２    面状発熱体（ヒーター）
３    マット（温熱用マット）
６    加温用シェル
９    容器
１１  チューブ
１２  クッション材
１３  鉱物
１６  接合部
【図１】
0003126857.tif 000003
【図２】
0003126857.tif 000004
【図３】
0003126857.tif 000005
【図４】
0003126857.tif 000006